(57)【要約】  本発明は、カムシャフト調整器の潤滑剤回路に関する。従来のカムシャフト調整器では、潤滑剤は、シリンダヘッドから供給ダクト（６６）および受けダクト（６９）を介してカムシャフト調整器に供給され、連続した潤滑剤供給を保証するために、前記供給ダクトと前記受けダクトとの間に、円周方向に一周する環状溝が取り付けられる。本発明によれば、潤滑剤は、供給ダクト（６６）から受けダクト（６９）に不連続に移送される。一周する環状溝をなくすことにより、不連続なまたは周期的な潤滑剤の流れがもたらされ、それにより、供給ダクト（６６）が少なくとも部分的に受けダクト（６９）と整列する場合にのみ潤滑剤が移送される。
2010510420.tif 000002
【特許請求の範囲】
【請求項１】
駆動エレメント（駆動輪３）と出力エレメント（カムシャフト６）との間の相対角度位置を維持し調整する、内燃機関のためのカムシャフト調整器（１）であって、前記駆動エレメント（駆動輪３）および前記出力エレメント（カムシャフト６）が歯車機構（２）を介して互いに連結され、前記歯車機構（２）の機能面、前記歯車機構（２）の潤滑点および／または前記カムシャフト調整器（１）のハウジング内の軸受点の潤滑が、潤滑剤回路によって行われ、潤滑剤が、供給ダクト（６６）を介して前記カムシャフト調整器（１）に供給され、前記供給ダクト（６６）が、前記供給ダクト（６６）に対して移動する前記カムシャフト調整器（１）の受けダクト（４５、６９、７０、７４）と連通し、前記カムシャフト調整器（１）のまたは前記カムシャフト（６）の前記供給ダクト（６６）と受けダクト（４５、６９、７０、７４）との間の移送断面（８５）が、少なくとも１つの回転角度範囲において形成され、移送断面（８５）が、他の回転角度範囲において閉鎖されることを特徴とする、カムシャフト調整器。
【請求項２】
円周にわたって均一にまたは不均一に分散される複数の供給ダクト（６６）および／または受けダクト（４５、６９、７０、７４）が形成されることを特徴とする、請求項１に記載のカムシャフト調整器。
【請求項３】
少なくとも１つの逆止め弁が前記潤滑剤回路に配置されることを特徴とする、請求項１または２に記載のカムシャフト調整器。
【請求項４】
潤滑剤スプレーノズルが、前記受けダクト（４５、６９、７０、７４）の下流に配置されることを特徴とする、請求項１〜３のいずれか一項に記載のカムシャフト調整器。
【請求項５】
前記歯車機構（２）が斜板機構として形成されることを特徴とする、請求項１〜４のいずれか一項に記載のカムシャフト調整器。
【発明の詳細な説明】
【技術分野】
【０００１】
本発明は、内燃機関のためのカムシャフト調整器（カムシャフト・アジャスタ）に関し、このカムシャフト調整器では、特に請求項１の前提部分に従って、カムシャフト調整器の潤滑が潤滑剤の流れによって行われる。
【背景技術】
【０００２】
カムシャフト調整器を、おおまかに以下のように分類することができる。
Ａ．たとえば液圧式に、電気的にまたは機械的に具現化される質量流またはエネルギーの流れに介在する、アクチュエータエレメント、すなわち機能ユニットを備えた位相調整器であり、カムシャフト調整器の歯車機構エレメントとともに回転する位相調整器。
Ｂ．別個のアクチュエータ、すなわち、アクチュエータエレメントを調整するために必要な操作変数がコントローラ出力変数から形成される機能ユニットを備えた、位相調整器であり、別個のアクチュエータエレメントを有する位相調整器。前記位相調整器は以下の構造を有する。
ａ．同時に回転するアクチュエータと、同時に回転するアクチュエータエレメント、たとえば、調整軸を、同時に回転する液圧モータまたは遠心力モータを用いて順方向に調整することができ、バネを用いて逆方向に調整することができる増速歯車機構と、を備えた位相調整器。
ｂ．同時に回転するアクチュエータエレメントと、モータ、たとえば電気モータもしくは電気的または機械的ブレーキに固定される固定アクチュエータと、を備えた位相調整器。独国特許出願公開第１００  ３８  ３５４  Ａ１号明細書、独国特許出願公開第１０２  ０５  ０３４  Ａ１号明細書、欧州特許第１  ０４３  ４８２  Ｂ１号明細書も参照されたい。
ｃ．ａ．およびｂ．による解決法の方向に依存する組合せ、たとえばモータに固定されるブレーキを備えた位相調整器であって、たとえば、ブレーキのスイッチが切られた後に後方の調整を可能にするバネに張力をかけるために、制動力の一部が、初期方向における調整に使用される位相調整器。独国特許出願公開第１０２  ２４  ４４６  Ａ１号明細書、国際公開第０３−０９８０１０号パンフレット、米国特許出願公開第２００３  ０２２６５３４号明細書、独国特許出願公開第１０３  １７  ６０７  Ａ１号明細書も参照されたい。
【０００３】
Ｂ．ａ〜Ｂ．ｃ．によるシステムでは、アクチュエータおよびアクチュエータエレメントは、調整軸によって互いに連結される。この連結を、切替え可能であるかまたは切替え不可能であるように、解放可能であるかまたは解放不可能であるように、遊びがないかまたは遊びができ易いように、柔軟であるかまたは剛性であるようにしてもよい。構造に関わらず、調整エネルギーを、駆動力および／または制動力を提供することにより、かつ軸系の動力損失（たとえば摩擦）および／または慣性力および／または遠心力を利用することによって、提供してもよい。好ましくは「減速」調整方向における制動もまた、カムシャフトの摩擦力を完全に利用するかまたはそれも利用することによって実行してもよい。カムシャフト調整器には、調整範囲に対する機械的制限手段を備えてもよく、または備えなくてもよい。たとえば、斜板機構、偏心歯車機構、遊星歯車機構、軸歯車機構、カムプレート歯車機構、マルチジョイントまたはカップリング歯車機構、もしくは多段実施形態における個々の構造の組合せとしての構造において、単段または多段３軸歯車機構および／またはマルチジョイントまたはカップリング歯車機構を、カムシャフト調整器における歯車機構（変速歯車装置）として使用することができる。
【０００４】
カムシャフト調整器を動作させるために、潤滑点、特に軸受点および／または回転歯への潤滑剤の供給が必要であり、潤滑剤は、互いに対して相対的に移動するカムシャフト調整器の部品を潤滑しおよび／または冷却する役割を果たす。この目的のために、カムシャフト調整器は、たとえば内燃機関の潤滑剤回路に結合されることが可能な潤滑剤回路を有する。
【０００５】
独国特許出願公開第１０２  ４８  ３５５  Ａ１号明細書は、カムシャフト軸受を介してカムシャフトに潤滑剤を供給することについて開示している。この目的のために、シリンダヘッドまたはカムシャフト軸受は、カムシャフトに対して径方向に向けられる供給ダクトを有する。受けダクト（ここでは同様に径方向に向けられる）が、カムシャフトにおいて供給ダクトと位置合わせして配置され、それは供給ダクトに関して対して移動する。受けダクトの領域において、カムシャフトは、円周方向に走る溝を有し、それにより、供給ダクトから受けダクトまでの潤滑剤の移送が連続的に、かつカムシャフトの各角度位置に対して可能であることが保証され、これに関連して、潤滑剤は、供給ダクトから溝を介して受けダクトまで移動する。
【発明の開示】
【発明が解決しようとする課題】
【０００６】
本発明は、
潤滑剤のカムシャフト調整器への改良された供給、および／または
潤滑剤に対する供給領域の改良された取付構成
を可能にするという目的に基づく。
【課題を解決するための手段】
【０００７】
本発明によれば、上記目的は、請求項１の特徴によって達成される。本発明による解決法のさらなる実施形態は、従属請求項２〜５によって得られる。
【０００８】
まず、本発明は、カムシャフトの各角度位置に対して潤滑剤を供給する必要があり、したがって、連続的な潤滑剤の供給が必要である、という欠点を克服する。代りに、本発明は、潤滑剤の不連続な供給を使用する。
【０００９】
かかる不連続な潤滑剤の供給を、本発明により、状況によっては特に複雑な開ループまたは閉ループ制御ユニット、アクチュエータおよび弁を必要とすることなく、特に容易に提供することができる。すなわち、本発明によれば、潤滑剤の供給は、供給ダクトおよび受けダクトを含むカムシャフト調整器の部品の相対移動による移動制御下で解放されまたは閉鎖される。
【００１０】
従来技術から既知である解決法では、カムシャフトの側面において、もしくはシリンダヘッドまたはカムシャフト軸受において環状溝が必要であり、その場合、カムシャフト軸受またはシリンダヘッドの対向面の幅が、溝によって拡大されて具現化されなければならない。かかる追加の取付条件を、本発明により回避することができる。
【００１１】
本発明によれば、潤滑剤は、供給ダクトおよび受けダクトが互いにほぼ整列（位置合わせ）された場合にのみ伝達される。さらに、送出し容積が低減した漏れが伝達をもたらすことができる。さらに、本発明の範囲内で、供給ダクトおよび／または受けダクトの領域において円周面にわたって完全に一周しない溝を提供することが可能であり、その結果、潤滑剤の伝達時間が延長される。供給ダクトと受けダクトとの相対移動の過程において、時間の経過によって大きくなり、最大値（整列したボア）が達成された後に再びゼロまで下がる移送断面を形成することが可能であり、その結果、移送容積流に対する時間信号を事前定義することができる。必要に応じて、円周方向において完全に一周しない溝の幅を、移送容積流の信号に影響を与えるように適当に構成することができる。
【００１２】
本発明による方法により、潤滑剤の連続した供給に比較して、潤滑剤の送出し量を低減することができる。さらに、カムシャフト調整器における潤滑剤の流れの脈動がもたらされ、それにより、改善された潤滑および改善された潤滑剤の分配が可能になる。
【００１３】
本発明による実施形態は、供給がカムシャフト軸受を介して行われる、冒頭に記載した従来技術による構成に限定されない。代りに、潤滑剤の不連続な流れをもたらす供給ダクトおよび受けダクトを、カムシャフトおよび／またはカムシャフト調整器の回転の過程において互いに対して移動する任意の所望の部品に配置してもよい。
【００１４】
単一の供給ダクトおよび受けダクトを通しての潤滑剤の移送が十分でない場合、複数の供給ダクトおよび／または受けダクトを円周にわたって均一にまたは不均一に分散させてもよい。
【００１５】
潤滑剤回路において望ましくない脈動振動がもたらされる場合、少なくとも１つの逆止め弁を、潤滑剤回路に、特にカムシャフト調整器、カムシャフト、カムシャフト軸受またはシリンダヘッドの領域に配置してもよい。
【００１６】
本発明のさらなる実施形態によれば、潤滑剤スプレーノズルが受けダクトの下流に配置され、その潤滑剤スプレーノズルから潤滑剤が、開放された移送断面に対する圧力が上昇すると増大した速度で出ることができるため、潤滑剤の脈動が利用される。
【００１７】
本発明の有利な発展形態は、特許請求の範囲、明細書本文および図面から明らかとなる。明細書本文に対する概説において記載している特徴および複数の特徴の組合せの利点は、単に例示的なものであり、本発明による実施形態によって絶対的に達成される必要はない。さらなる特徴を、図面、特に複数の構成要素の図示する幾何学的形状および互いに対する相対的な寸法、ならびにそれらの相対的な配置および動作的連結に見ることができる。特許請求の範囲の選択された後方参照とは異なるように、本発明の種々の実施形態の特徴または種々の特許請求の範囲の特徴の組合せもまた可能であり、かつ本明細書に示唆されている。これはまた、別々の図面において図示されるかまたは上記図面の説明において記載される特徴にも関係する。これらの特徴を、種々の特許請求の範囲の特徴と組み合わせることも可能である。同様に、特許請求の範囲に明記された特徴を、本発明のさらなる実施形態から省略することも可能である。
【００１８】
本発明のさらなる特徴は、以下の説明と、本発明の例示的な実施形態が概略的に示されている関連する図面とから明らかになる。
【発明を実施するための最良の形態】
【００１９】
図面において、構造および／または機能に関して互いに対応する構成要素には、場合によっては同じ参照数字を与える。
【００２０】
図１は、カムシャフト調整器１の概略図を示し、そこでは、歯車機構２において、２つの入力エレメント、ここでは駆動輪３および調整軸４（ウォブル軸とも称する）の移動が重ね合わさることにより、出力エレメント、ここではカムシャフト６に回転に関して固定して連結される出力軸５かまたは直接カムシャフトの出力移動を形成する。駆動輪３は、たとえばチェーンまたはベルトまたは適当な歯系（噛み合い系）等の牽引手段を介する、内燃機関のクランク軸への駆動連結を有し、駆動輪３はチェーンスプロケットまたはベルトプーリとして構成されることが可能である。
【００２１】
調整軸４は、電気モータ７によって駆動されるか、またはブレーキに動作可能に連結される。電気モータ７は、周囲、たとえばシリンダヘッド８、またはエンジンに固定される別の領域に対して支持される。
【００２２】
図２は、斜板構造の歯車機構２を有するカムシャフト調整器１の１つの例示的な実施形態を示す。ハウジング９が、駆動輪３に、回転に関して固定して連結され、封止エレメント１０によって調整軸４に対して軸方向端部領域において封止される。反対に位置する軸方向端部領域では、ハウジング９は、封止エレメント１１によってシリンダヘッド８に対して封止される。カムシャフト６の端部領域は、ハウジング９およびシリンダヘッド８によって形成される内部３６内に突出する。さらに、クラッチ１２を介して調整軸４に連結される偏心軸１３と、軸受エレメント１４、たとえばころ軸受を介して取り付けられる斜板１５と、軸受エレメント１７、たとえばころ軸受を介して偏心軸１３の中央凹部において内側に位置するように支持される中空軸１６と、出力かさ歯車１８とが内部に配置される。出力かさ歯車１８は、軸受１９を介してハウジング９に対して支持される。内部では、ハウジング９は、駆動かさ歯車２０を形成する。斜板１５は、互いに反対に位置する両端面に適当な歯系を有する。偏心軸１３は軸受エレメント１４および斜板とともに、長手方向軸２１−２１に対して傾斜している軸を中心に回転し、その結果、斜板は、円周方向において互いに対してずれている部分的領域において、一方の側では駆動かさ歯車２０と噛み合い、他方の側では出力かさ歯車１８と噛み合い、駆動かさ歯車と出力かさ歯車との間に段階的に上昇するかまたは段階的に減少する速度伝達比がある。出力かさ歯車１８は、カムシャフト６に、回転に関して固定して連結される。
【００２３】
図２に示す例示的な実施形態の場合、中空軸１６は出力かさ歯車１８とともに、中空軸１６内を延在する中央ねじ２２によってカムシャフト６の端部側にねじ留めされる。潤滑剤、特に油での潤滑が、潤滑点２３、２４の領域において必要であり、それは、たとえば、
駆動かさ歯車２０と斜板１５との間の接触面、
斜板１５と出力かさ歯車１８との間の接触面、
軸受１９、
軸受エレメント１４、および／または
軸受エレメント１７
であり得る。
【００２４】
この目的のために、潤滑剤の連続した、周期的な、脈動するまたは間欠的な供給および／または送りが、潤滑剤ダクトを介して行われる。潤滑剤は、シリンダヘッド８の供給凹部２５を介してカムシャフト６のフローダクト２６まで供給され、このフローダクト２６は、中空軸１６の内部側面２８と中央ねじ２２の外部側面２９との間に中空円筒状に形成されるフローダクト２７と連通する。潤滑剤は、フローダクト２７から中空軸１６の径方向ボア３０を介して径方向外側に漏れ、潤滑点に供給されることが可能である。
【００２５】
図３は、概略的な潤滑剤回路を示す。潤滑剤は、貯蔵器３１、たとえばオイルトラフまたはオイルタンクから、ポンプ３２、たとえばエンジンオイルポンプを介して、フィルタ３３、特にエンジンオイルフィルタを通り、供給凹部２５およびカムシャフト６のフローダクト２６まで搬送される。潤滑剤は、カムシャフト調整器１またはそのハウジング９から出口開口３４を介して出て、再び貯蔵器３１に戻る。
【００２６】
図３による実施形態とは対照的に、図４による概略的な潤滑剤回路は、追加のフィルタエレメント３５を有する。フィルタエレメント３５は、カムシャフト調整器１に割り当てられることが好ましく、たとえば潤滑剤回路の潤滑されるべきさらなる部品への分岐後に配置され、カムシャフト調整器を潤滑する役割を果たす潤滑剤回路の分岐に対してのみ割り当てられる。ここで、フィルタ３５は、カムシャフト調整器１の取付位置に可能な限り近くに、またはカムシャフト調整器自体に配置される。フィルタエレメント３５は、フィルタエレメント３５の上流に配置されるフローダクトにおける加工残留物を、シリンダヘッドおよびカムシャフトのフローダクトに近づけないようにする役割を果たすことができる。さらに、潤滑剤の中の製造残留物および汚物粒子を、カムシャフト調整器１の歯車機構２に近づけないようにすることができる。さらに、フィルタエレメント３５のオリフィス特性または絞り動作を、潤滑剤の流れ状態、特に圧力、容積流および速度に影響を与えるために、的を絞った方法で使用することができる。フィルタエレメント３５は、好ましくは、カムシャフト調整器の耐用年数の間における粒子および汚物による想定し得る最大汚染での流れ状態を考慮して、目詰まりするかまたはふさがれる可能性がないように実装されるべきである。この目的のために、たとえば立上り管におけるおよび／または部分流フィルタとしての配置が有利である。
【００２７】
フィルタエレメント３５を、たとえば
スクリーン、
環状フィルタ、
プラグインフィルタ、
キャップフィルタ、
フィルタプレート、
フィルタネット、または
焼結フィルタ
として構成することができる。
【００２８】
図５によれば、潤滑剤は、たとえば上述した例示的な実施形態に従って、ハウジング９の内部３６内に搬送され、内部３６の潤滑点と接触する。内部３６は、内部３６の径方向でもっとも遠くにある位置に配置されるデッドスペース３７への潤滑剤連通部を有する。デッドスペース３７の内部３６への連結部を、移送断面を介してまたは別個のダクトを介して広い面積にわたって形成することができ、それを介して潤滑剤がデッドスペース３７に入りかつデッドスペース３７から出ることが可能である。
【００２９】
デッドスペース３７は、図５に示す例示的な実施形態の場合、円周方向環状ダクトとして構成される。デッドスペース３７は、特に、潤滑剤が低速で移動するかまたはほとんど停止状態である空間であってもよく、その結果、デッドスペース３７は、潤滑剤の直接の最大通過流ゾーンには配置されない。潤滑剤は、ハウジング９の回転の結果としてデッドスペース３７において遠心力に晒され、その結果、潤滑剤内の重い成分および懸濁粒子が外側に押し出され、径方向外壁３８上に沈殿することができ、潤滑点に二度と案内されない。さらに、環状デッドスペース３７が、中間壁によって円周方向に分割されることが可能であり、その結果、複数の個々のチャンバが円周方向に形成され、これにより、潤滑剤がデッドスペース３７内でハウジング９に対して円周方向に移動する可能性がある状況が回避される。したがって、汚物の沈殿は、回転する遠心分離機と同様に発生する。
【００３０】
デッドスペース３７によるデッドスペースを、歯車機構におけるかつカムシャフトの領域における任意の所望の位置に配置することができ、それにより、たとえばデッドスペースのすぐ近くにおける重要な機能面が汚物によって「詰まる」ことがない状況を達成することができ、それら汚物は歯車機構において遠心分離されている。遠心効果は、長手方向軸２１−２１からのデッドスペースの間隔を増大させることにより強化される。
【００３１】
第１実施形態によれば、デッドスペースにはそれ以上の流出はなく、その結果、遠心分離された汚物粒子は永久的にデッドスペース３７に沈殿する。図５に示す好ましい実施形態によれば、デッドスペースは少なくとも１つの追加の出口開口３９、４０を有し、出口開口３９は軸方向に向けられ、出口開口４０は径方向に向けられる。カムシャフト調整器１の周囲と比較したデッドスペース３７内の径方向遠心力および／または圧力状態の結果として、沈殿した汚物粒子を含む潤滑剤が、出口開口４０から径方向に移動し、汚物粒子の搬送は遠心作用によって促進される。これに対する変形では、搬送は、もっぱら、一方の側におけるデッドスペース３７と他方の側におけるカムシャフト調整器１の周囲とにおける圧力差の結果として、出口開口３９を通して行われる。
【００３２】
代替実施形態として、汚物の沈殿は、潤滑剤がフローダクトにおいてラビリンス状にまたはジグザグ状に案内されることで起こる。このタイプのラビリンス型汚物沈殿器の結果としての汚物沈殿は、潤滑剤と潤滑剤内の破壊的な粒子との慣性が異なることに基づく。特に流速が速い場合、潤滑剤流の顕著な偏向により、粒子は偏向せずにラビリンスの境界に沈殿することができる。ラビリンスの個々のダクトが径方向に向けられている場合、このタイプのダクトにおいてかつ同様に軸状ダクトにおいて、上述した遠心作用の結果として、ラビリンスの径方向外面において沈殿が発生することが可能になる。潤滑剤を制動し加速する場合、代替的なまたは追加的な沈殿効果をもたらすことができ、汚物粒子を後に残して、軽い方の潤滑剤を加速することがより容易になる。
【００３３】
ハウジング９またはカムシャフト調整器１の他の領域が回転する結果として遠心作用をもたらすことにだけでなく、遠心作用を、少なくとも部分的に、潤滑剤を案内するフローダクトが円形状にまたは螺旋状に向けられるという事実によってもたらすことができ、その結果、沈殿が、単に潤滑剤が湾曲したフローダクト内を移動する結果としてフローダクトの外側境界に形成されることが可能になる。
【００３４】
図３および図４に示す潤滑剤回路の例示的な実施形態の変形において、図６に示す概略的な潤滑剤回路は、入口側オリフィス４１および入口側スロットル４２と、出口側オリフィス４３および出口側スロットル４４と、を有する。オリフィス４１、４３およびスロットル４２、４４は、潤滑剤回路における流れ状態に影響を与えるフローエレメントを形成する。上述したフローエレメントは、カムシャフト調整器１のみに負荷をかける並列の潤滑剤経路に割り当てられる。フローエレメントは、カムシャフト調整器１の近くに配置されることが好ましく、または、少なくとも部分的にカムシャフト調整器１、カムシャフト、またはシリンダヘッドのカムシャフトに対する軸受点の領域内に組み込まれる。
【００３５】
カムシャフト調整器への容積流の絞りは、オリフィス４１、４３およびスロットル４２、４４によって行うことができる。さらなる絞りを、フィルタエレメント３５を使用することによってもたらすことができる。フィルタエレメントは、フローエレメントが粒子によって目詰まりするかまたは時間の経過により塞がらないために、流れ方向においてフローエレメントの上流に配置されることが有利である。
【００３６】
一定の流れ特性を有するフローエレメントを使用するだけでなく、連続的にまたは段階的に変化させることができるフローエレメントを使用することができる。流れ作用を、
エンジン速度に応じて、
ポンプ３２の送出し容積に連動して、および／または
カムシャフト調整器１または潤滑剤の温度に応じて
変化させることができる、フローエレメントを使用することが可能であり、上述した変化を、機械的に、またはフローエレメントに作用する適当な制御または調整装置により自動的にもたらすことができる。
【００３７】
フローエレメントは、たとえば、潤滑剤の容積流が、潤滑剤の温度とは無関係に一定の値で維持されるように変更される。同様に、容積流は、動作範囲におけるフローエレメントの影響により増大するかまたは低減し、そこでは、より高い潤滑剤または冷却要件もしくはこのタイプの低い要件がある。
【００３８】
スロットル４２、４４およびオリフィス４１、４３の形態でのフローエレメントの構造の場合、状況によっては、たとえば円形断面領域を有するボアの代りに環状ギャップまたは環状断面が使用される実施形態が使用され、それは、状況によっては、ボアが環状ギャップより容易に目詰まりする可能性があるためである。
【００３９】
図７に示す例示的な実施形態では、潤滑剤は、カムシャフト６の複数のボアまたは受けダクト４５を介して供給され、受けダクト４５は、長手方向軸２１−２１および径方向に対して傾斜している。カムシャフト６は端部側止まり穴ボア４６を有し、それは、円錐状面取り部４７と一体化して中央ねじ２２を受け入れるねじ山になる。受けダクト４５は、面取り部４７内に通じる。面取り部４７の反対側にある端部領域において、受けダクト４５には、シリンダヘッド８の供給溝から潤滑剤を供給される。図示する長手方向断面において矩形形状を有する径方向円周方向切欠き部４８が、受けダクト４５内のおよそ中央に形成される。
【００４０】
受けダクト４５およびボア４６を介して切欠き部４８に供給される潤滑剤の一部は、切欠き部４８内に通じるカムシャフト６の軸方向ボア４９と、重なるよう画定されているが径方向にずれている、ハウジング９の軸方向ボア５０と、を介して、歯車機構２の内部の潤滑点まで、たとえば軸受エレメント１７、軸受エレメント１４、斜板１５の回転歯連結部および／または軸受１９まで移動する。
【００４１】
切欠き部４８に供給される潤滑剤の他の部分は、中空軸１６の内部側面と中央ねじ２２の外部側面との間に形成され、かつ円形リング状断面を有するフローダクト５１を介して、少なくとも１つの径方向ボア５２を通り、潤滑点、たとえば軸受点１７まで、または歯車機構２の内部まで移動する。切欠き部４８は、ボア４９を越えて突出する径方向の広がりを有するように構成され、その結果、円周方向環状デッドスペース３７が径方向外側に形成される。互いに対して径方向にずれているボア４９、５０の間で移送を可能にするために、ボア４９、５０間に、凹部、径方向溝等の形態の遷移領域５３を形成してもよい。互いに整列しないボア４９、５０の形態において、ボアが部分的に重なるように、移送断面積またはオリフィス断面積が小さい、ある種のオリフィスを設けてもよいが、ボア４９、５０自体が、比較的大きい径で、したがって低精度器具で製造される可能性がある。
【００４２】
他の点は図７に対応する一実施形態において、図８に示す例示的な実施形態では、長手方向における中空軸１６の広がりが、中空軸が切欠き部４８内まで突出するように拡張される。ボア４６の内部側面と切欠き部の境界を画する横断面５５とによって形成される横方向縁部５４と、中空軸１６の外部側面５７と中空軸１６の端面５８とによって形成される縁部５６と、の間に、ボア４６から切欠き部４８へ潤滑剤を移送するためのオリフィスが形成される。
【００４３】
他の点は上述した先行する実施形態に対応する構造において、図９によるカムシャフト６は切欠き部４８を有していない。図９による例示的な実施形態では、ボア４９、５０および遷移領域５３もまた設けられておらず、その結果、ボア４６からの潤滑剤がフローダクト５１に完全に供給される。ボア４６内に形成され、矩形片側断面を有し、中央ねじ２２の側面によりかつ中空軸１６の端面５８により径方向内側に境界が画される円形リング状フローダクト内に、フローエレメント５９が配置され、このフローエレメント５９は、中央ねじ２２上に押され、たとえばプラスチックまたはエラストマから作製される、リングであってもよい。図９に示す例示的な実施形態では、フローエレメント５９は、略Ｔ字型長手方向片側断面を有し、Ｔの横方向の脚は、中央ねじ２２の側面に弾性圧力で径方向内側にもたれかかり、Ｔの垂直方向の脚は、径方向外側に延在し、この脚の端部側は、ボア４６とともに環状ギャップ６０を形成し、その結果、オリフィスが提供される。
【００４４】
変形実施形態では、フローエレメント５９に、たとえばボア４６に対して径方向外側に圧力を加えてもよく、この場合、フローエレメントの内面と中央ねじとの間に環状ギャップ６０が形成される。たとえばカムシャフトまたは中央ねじの適当な溝に、フローエレメント５９を形状嵌合により収容することもまた考えられる。流れ状態に対し、たとえば段階的遷移でまたは連続的遷移で影響を与えるために、環状ギャップ６０の領域において、フローエレメント５９の輪郭のいかなる所望の構造も可能である。
【００４５】
図１０に示す例示的な実施形態では、中空軸１６は、フローダクト５１の領域において径方向の円周方向切欠き部６１を有し、切欠き部６１は、面取り部４７に面する側において、径方向内側に向く円周方向径方向突起６２により境界が画される。突起６２と中央ねじ２２の側面との間に、オリフィスに相当する環状ギャップ６３が形成される。切欠き部６１は、径方向外側にデッドスペース３７を形成し、それは、環状ギャップ６３およびフローダクト５１の両方が、デッドスペース３７の径方向内側に位置する形で切欠き部６１内に通じるためである。
【００４６】
カムシャフト６に、シリンダヘッド８の潤滑剤通路から潤滑剤が供給される。一般的に、潤滑剤は、エンジンに固定されたシリンダヘッド８から回転カムシャフト６まで、それ自体既知である回転伝達装置によって移送される。ここで、これは通常、カムシャフト６の外部側面の環状溝６４である。環状溝６４は、シリンダヘッド８の対応する円筒状側面６５によって包囲され、環状溝６４に対して軸方向に向けられる分岐ボアまたは供給ダクト６６が、潤滑剤通路からそこに至る。図１１に示すように、供給ダクト６６は、側面６５を径方向に貫通することができ、または側面６５を例えば接線方向に貫通することができる。
【００４７】
回転伝達装置を、カムシャフト６のためのラジアル軸受に、または別個の肩に配置することができる。しかしながら、後者の場合、通常比較的大きい径方向ギャップを考慮して、封止リング６７、６８、たとえばスチール封止リング、鋳造封止リングまたはプラスチック封止リングが必要であることが多い。カムシャフト６のラジアル軸受に回転伝達装置を配置する場合、軸受幅は環状溝の幅だけ低減されることが留意されるべきである。
【００４８】
さらなる実施形態では、環状溝を、シリンダヘッドに、たとえば軸受、軸受ブラケット、または挿入された軸受ブシュにおいて固定されるように構成することができる。そして、カムシャフトには環状溝６４が不要である。
【００４９】
上述した回転伝達装置の使用により、環状溝６４をボア４６に連結する円周方向環状溝および径方向ボアまたは受けダクト６９の結果として、シリンダヘッド８からカムシャフト６内に潤滑剤が連続的に流れる。
【００５０】
１つの特定の実施形態では、供給ダクト６６および環状溝６４は、互いに対して軸方向にずれて配置され、その結果として、潤滑剤の供給ダクト６６から環状溝６４までの移送中にすでにある種のスロットルが提供され、供給ダクト６６と環状溝６４との間における軸方向のずれが大きいほど、前記スロットルの開放断面が小さくなる。ここで、絞り作用はまた、供給ダクト６６の径が比較的大きく環状溝６４の幅が広い場合にも達成することが可能であり、その結果、汚物に対してかつ製造に関して影響を受け易い小さいボアまたは溝を設ける必要がない。
【００５１】
１つの特定のさらなる実施形態によれば、潤滑剤は、円筒状潤滑剤供給手段を介して供給される。このタイプの場合、環状溝６４は省略され、その結果、ダクト６６、６９が互いに整列するかまたは部分的に重なるタイプのカムシャフト６の回転位置に対してのみ、供給ダクト６６と受けダクト６９との間に潤滑剤連通がある。長い移送時間が望まれる場合、シリンダヘッド８またはカムシャフト６の側面は、供給ダクト６６と受けダクト６９との間の遷移領域において円周の一部にわたって延在する溝を有してもよく、その結果、供給ダクト６６から受けダクト６９までの移送が、これらダクト６６、６９が溝によって互いに連結される限り可能になる。さらに、潤滑剤の移送を、溝の幅輪郭の構造によって変更可能に設計することができる。したがって、潤滑剤の容積流および質量流を、構造的にかつ循環的に事前定義することができる。さらに、脈動する潤滑剤流をもたらすことができ、それにより、たとえば潤滑剤の混合および潤滑剤による潤滑点の湿潤を改善するために、圧力変動を使用することができる。さらに、たとえばオリフィスまたはスロットルの閉塞の危険を、脈動する潤滑剤流によって低減することができる。このタイプの潤滑剤脈動により、潤滑剤回路における脈動振動がもたらされる場合、潤滑剤回路に、特にシリンダヘッド８の領域に、カムシャフトの領域に、および／または歯車機構に逆止め弁を配置してもよい。
【００５２】
図１２は、１つの例示的な実施形態を示し、そこでは、潤滑剤が、径方向止まり穴ボアまたは供給ダクト７０と、供給ダクト７０内に通じるカムシャフトの軸方向端部側止まり穴ボア７１と、ハウジング９の分岐ボア７２と、を介して、歯車機構２に供給される。カムシャフトのボア７１とハウジング９のボア７２との間の遷移領域に円周方向環状溝７３が設けられる場合、組立が簡略化され、その結果、組立中にボア７１、７２を互いに対して同軸上に方向付ける必要がない。
【００５３】
図１３は、図９による例示的な実施形態に実質的に対応する１つの例示的な実施形態を示すが、フローエレメント５９は設けられていない。
【００５４】
図１４は、１つの例示的な実施形態を示し、そこでは、環状溝６４が、長手方向軸２１−２１および横方向軸に対し傾斜しているボアまたは受けダクト７４を介して環状ダクト７３に直接連結される。
【００５５】
図１５に示す例示的な実施形態の場合、環状ダクト７３および環状溝６４は、カムシャフトの端部側に形成され、環状溝６４内に通じ、かつ環状ダクト７３を貫通するボア７５を介して、直接連結される。
【００５６】
流れ断面をシリンダヘッドにおいてかつカムシャフトにおいて設計するための構造的方法に加えて、歯車機構において潤滑剤回路内の流れ状態に影響を与えることが可能である。ここで、スロットルまたはオリフィスを使用することにより、供給ボアを絞ることができる。代わりにまたはさらに、流出を、たとえば、調整軸とともに、特にギャップ高さが０．１ｍｍ〜２ｍｍの範囲である環状ギャップを形成する金属カバーを用いて、歯車機構の後方側を閉鎖することにより、絞ることができる。
【００５７】
さらに、歯車機構において、封止エレメントを備えた軸受を使用することが可能である。図１６によれば、中空軸１６と中央ねじ２２との間の環状ダクトは、０．２ｍｍ〜１ｍｍの範囲の環状幅を有する。このフローダクトと歯車機構の内部との間の径方向連結ボアは、０．５ｍｍと３ｍｍの間の直径を有することが好ましい。構造的に事前定義することができ、潤滑剤に対し流れ断面またはオリフィスまたはスロットルを形成することができる軸方向および／または径方向ギャップ７６の規定により、さらなる影響もしくはスロットルまたはオリフィスをもたらすことができる。
【００５８】
カムシャフト調整器１のさらなる実施形態によれば、ハウジング９の外部側面は凹部または窓７７を有し、それらを、円周方向に均一に分散させても非均一に分散させてもよい（図１７を参照）。
【００５９】
図１８は、カムシャフト調整器１の一端部側の領域における凹部または開口７８の配置に対するさらなる可能性を示す。潤滑剤が開口７８、７７を通って歯車機構２に供給される場合、カムシャフトを介する潤滑剤の移送を省略することができる。たとえば、潤滑剤を、開口７７、７８を通して潤滑剤スプレーを介して搬送することができる。このタイプの潤滑剤スプレーを、シリンダヘッドにまたはチェーンケースに固定して配置することができる。潤滑剤スプレーの場合、それは最も単純な場合、単に潤滑剤ボアであってもよく、その潤滑剤ボアから、細かい潤滑剤噴射が出て、たとえば開口７７、７８を通って歯車機構の外側または歯車機構の内側の点に衝突する。特に、このタイプの点は、歯車機構の内部において回転軸に対して可能な限り近くにあってもよい。回転系において潤滑剤に作用する遠心力の結果として、潤滑剤は外側方向に、潤滑点に、たとえば軸受および／または歯系に分散される。
【００６０】
さらに、歯車機構ハウジングの開口７７、７８の構成は、潤滑剤を歯系または他の潤滑剤点に直接吹き付けてもよい。同様に、潤滑剤による噴霧が、他のエンジン部品、たとえばチェーンまたはテンショナの潤滑剤供給と組み合わされることも考えられる。同様に、歯車機構２の外側の点または面に潤滑剤が吹き付けられることも考えられる。そして、潤滑は、この結果としてもたらされる、はね返る潤滑剤かまたは潤滑剤ミストによって確実になる。
【００６１】
１つの代替実施形態によれば、潤滑剤供給を、いかなる場合もチェーンケースに存在し、開口７７、７８を通してカムシャフト調整器に浸透することができる、潤滑剤ミストによって行うことができる。
【００６２】
図２０による潤滑剤供給のさらなる実施形態では、歯車機構の外側に滴下板８０が設けられ、その滴下板８０の上で、潤滑剤ミストが凝縮しそこから滴る。代わりにまたはさらに、的を絞った方法で開口７７、７８の方向に向けられる特別な液滴潤滑剤ノズルを設けてもよい。
【００６３】
潤滑剤が低温である場合であっても、または低温始動の場合であっても、潤滑剤ミスト、潤滑剤液滴または潤滑剤噴射により潤滑の機能を確実に保証するために、潤滑点、たとえば滑り軸受および／または歯系に、緊急運転特性が備えられるべきである。このタイプの緊急運転特性を、たとえば
機能的相手材のコーティングにより、または
潤滑剤貯蔵器の導入により
保証することができる。
【００６４】
特に、潤滑剤貯蔵器は、潤滑剤点の微小のまたは肉眼で見える小さいポケットによって提供され、その場合、潤滑剤を低温始動のために、または潤滑剤低温時に貯蔵することができる。また、好ましくは、ころ軸受が可能な限り軸受点に設けられる場合、改良された緊急運転特性があり得る。
【００６５】
さらに、潤滑のために、油潤滑式牽引手段（制御チェーン）から滴下する油を使用してもよく、その油はハウジングの開口を通過する。状況によっては、油に浸すかまたは油で噴霧することにより、もしくは油を塗ったチェーン・テンショナレールまたは偏向レールから油を剥ぎ取ることにより、牽引手段が潤滑される。このようにチェーンから搬送される油の一部は、歯車機構の駆動輪（チェーンスプロケット）の上に滴下し、そのため下部にある歯車機構の開口内に入ることができる。さらに、油を歯車機構に、またはその上方にある滴下点に毛管作用によって搬送することが可能である。また、油が、空気流により潤滑点に言わば「吹きつけられる」ことも可能であり、それは、たとえば、タイミング駆動領域または調整器領域の駆動移動からもたらされる。
【図面の簡単な説明】
【００６６】
【図１】カムシャフト調整器の概略図を示す。
【図２】斜板機構を備えたカムシャフト調整器の概略図を示す。
【図３】潤滑剤回路を備えたカムシャフト調整器を概略図で示す。
【図４】フィルタエレメントが組み込まれた潤滑剤回路を備えたカムシャフト調整器を概略図で示す。
【図５】汚物の粒子を蓄積するためのデッドスペースを備えたカムシャフト調整器を長手方向片側断面図で示す。
【図６】入口端と出口端との両方にスロットルとオリフィスとが備えられた潤滑剤回路を備えるカムシャフト調整器を概略図で示す。
【図７】フローダクトにおいて潤滑剤を供給するカムシャフト調整器を長手方向断面図で示す。
【図８】２つのオリフィスがフローダクトにおいて前後に配置されるカムシャフト調整器を長手方向断面図で示す。
【図９】中央ねじに取り付けられ、カムシャフトの内部側面と共にオリフィスを形成するフローエレメントを備えたカムシャフト調整器を長手方向断面図で示す。
【図１０】中空軸と中央ねじとの間にオリフィスが形成されたカムシャフト調整器を長手方向断面図で示す。
【図１１】潤滑剤がシリンダヘッドの出口開口から移送断面を介してカムシャフトの入口断面まで供給されるカムシャフト調整器を長手方向断面図で示す。
【図１２】カムシャフトおよびカムシャフト調整器への潤滑剤の供給のさらなる実施形態を長手方向断面図で示す。
【図１３】カムシャフトおよびカムシャフト調整器への潤滑剤の供給のさらなる実施形態を長手方向断面図で示す。
【図１４】カムシャフトおよびカムシャフト調整器への潤滑剤の供給のさらなる実施形態を長手方向断面図で示す。
【図１５】カムシャフトおよびカムシャフト調整器への潤滑剤の供給のさらなる実施形態を長手方向断面図で示す。
【図１６】潤滑剤の流れに影響を与えるためにオリフィスまたはスロットルの配置の異なる例を備えたカムシャフト調整器を長手方向断面図で示す。
【図１７】歯車機構のハウジングに、潤滑剤が液滴、潤滑剤ミストまたは噴射潤滑剤の形態で通過するための開口を備えたカムシャフト調整器を立体図で示す。
【図１８】開口のさらなる可能性を含む、図１７によるカムシャフト調整器のさらなる立体図を示す。
【図１９】液滴、潤滑剤ミストおよび／または噴射潤滑剤により潤滑する可能性を含む、取り付けられた状態のカムシャフト調整器を示す。
【図２０】油ミストの液滴が付着しかつカムシャフト調整器の内部の方向に滴下する滴下板を有する、取り付けられた状態のカムシャフト調整器の側面図を示す。
【符号の説明】
【００６７】
１  カムシャフト調整器
２  歯車機構
３  駆動輪
４  調整軸
５  出力軸
６  カムシャフト
７  電気モータ
８  シリンダヘッド
９  ハウジング
１０  封止エレメント
１１  封止エレメント
１２  クラッチ
１３  偏心軸
１４  軸受エレメント
１５  斜板
１６  中空軸
１７  軸受エレメント
１８  出力かさ歯車
１９  軸受
２０  駆動かさ歯車
２１  長手方向軸
２２  中央ねじ
２３  潤滑点
２４  潤滑点
２５  供給凹部
２６  フローダクト
２７  フローダクト
２８  側面
２９  側面
３０  ボア
３１  貯蔵器
３２  ポンプ
３３  フィルタ
３４  出口開口
３５  フィルタエレメント
３６  内部
３７  デッドスペース
３８  壁
３９  出口開口
４０  出口開口
４１  オリフィス
４２  スロットル
４３  オリフィス
４４  スロットル
４５  受けボア
４６  止まり穴ボア
４７  面取り部
４８  切欠き部
４９  ボア
５０  ボア
５１  フローダクト
５２  ボア
５３  遷移領域
５４  縁部
５５  横断面
５６  縁部
５７  側面
５８  端面
５９  フローエレメント
６０  環状ギャップ
６１  切欠き部
６２  突起
６３  環状ギャップ
６４  環状ギャップ
６５  側面
６６  供給ダクト
６７  封止リング
６８  封止リング
６９  受けダクト
７０  供給ダクト
７１  止まり穴ボア
７２  分岐ボア
７３  環状ダクト
７４  受けダクト
７５  ボア
７６  ギャップ
７７  開口
７８  開口
７９  端部側
８０  滴下板
８１  中間空間
８２  領域
８３  領域
８４  フローダクト
８５  移送断面
【図１】
2010510420.tif 000003
【図２】
2010510420.tif 000004
【図３】
2010510420.tif 000005
【図４】
2010510420.tif 000006
【図５】
2010510420.tif 000007
【図６】
2010510420.tif 000008
【図７】
2010510420.tif 000009
【図８】
2010510420.tif 000010
【図９】
2010510420.tif 000011
【図１０】
2010510420.tif 000012
【図１１】
2010510420.tif 000013
【図１２】
2010510420.tif 000014
【図１３】
2010510420.tif 000015
【図１４】
2010510420.tif 000016
【図１５】
2010510420.tif 000017
【図１６】
2010510420.tif 000018
【図１７】
2010510420.tif 000019
【図１８】
2010510420.tif 000020
【図１９】
2010510420.tif 000021
【図２０】
2010510420.tif 000022
【国際調査報告】
2010510420.tif 000023
2010510420.tif 000024
2010510420.tif 000025
2010510420.tif 000026
2010510420.tif 000027
2010510420.tif 000028